(57)【要約】【課題】接続された電子機器からの電力供給状況に応じて適切な動作を行うことが可能な接続機器及びその一例としての光ディスク装置を提供することを目的とする。【解決手段】電子機器に接続されて前記電子機器から電力の供給を受けて動作する光ディスク装置において、前記電子機器から供給される電力レベルによって動作可能であるかを判定し、供給される電力レベルに応じて動作モードを切り替える手段を有する。より具体的には、電子機器から供給される電力レベルが動作可能な電力レベルに達していないときには、一旦電源を切り、予め定められた消費電力の少ない動作モードに順次切り替えて動作可能であることを確認した後、再び電源を投入して動作する手段を有する【選択図】図３
2005259282.tif 000002
【特許請求の範囲】
【請求項１】
電力伝達機能と信号伝達機能を兼ね備えた接続手段によって電子機器からの電力の取得と信号の入出力を行い、前記電子機器から電力の供給を受けて動作する接続機器において、前記電子機器から供給される電力レベルによって動作可能であるかを判定し、供給される電力レベルに応じて動作状態を切り替える手段を有することを特徴とする接続機器。
【請求項２】
電力伝達機能と信号伝達機能を兼ね備えた接続手段によって電子機器からの電力の取得と信号の入出力を行い、前記電子機器から電力の供給を受けて動作する光ディスク装置において、前記電子機器から供給される電力レベルによって動作可能であるかを判定し、供給される電力レベルに応じて動作モードを切り替える手段を有することを特徴とする光ディスク装置。
【請求項３】
前記電子機器から供給される電力レベルが動作可能な電力レベルに達していないときには、一旦電源を切り、予め定められた消費電力の少ない動作モードに順次切り替えて動作可能であることを確認した後、再び電源を投入して動作する手段を有することを特徴とする請求項２記載の光ディスク装置。
【請求項４】
前記電子機器の電力供給能力判断処理が以前に行われており、ユーザが電力供給能力判断処理を要求しない場合には、新たな電力供給能力判断処理を行わず、すでに設定されている動作モードで動作することを特徴とする請求項２または３記載の光ディスク装置。
【請求項５】
前記電子機器の電力供給能力判断処理と、その結果定められる動作モードが不揮発メモリ内に記憶されていることを特徴とする請求項２から４のいずれかに記載の光ディスク装置。
【発明の詳細な説明】
【技術分野】
【０００１】
本発明は、ユニバーサル・シリアル・バス（ＵＳＢ）インタフェース等の電力伝達機能と信号伝達機能を兼ね備えた接続手段にて、パーソナルコンピュータ等の電子機器に接続可能な接続機器及びその一例としての光ディスク装置に関する。
【背景技術】
【０００２】
パーソナルコンピュータ等の電子機器に接続して使用する周辺機器には、接続したパーソナルコンピュータ等の電子機器から電力供給を受けることが出来るものがある。例えばユニバーサル・シリアル・バス（以下「ＵＳＢ」と称す）は電源バスを有している為、この電源バスにて電力供給を受けている接続機器がある。
【０００３】
ここではＵＳＢにて電力供給可能な従来の光ディスク装置を例として図を用いて説明する。
【０００４】
図２は従来の光ディスク装置の構成を示すブロック図である。
【０００５】
光ディスク１はスピンドルモータ３によって回転し、光ピックアップユニット４を搭載したキャリッジがフィードモータ２によって光ディスク１の半径方向に移動して、光ディスク１に対してデータの書き込みや読み取りがなされる。スピンドルモータ３はスピンドルモータドライバ７によって駆動され、フィードモータ２はフィードモータドライバ６によって駆動される。また、光ピックアップユニット４はアクチュエータドライバ８によって駆動される。
【０００６】
フィードモータドライバ６、スピンドルモータドライバ７、アクチュエータドライバ８は、ＣＤサーボプロセッサ１５によってサーボ制御される。光ピックアップユニット４にはレーザダイオードが内蔵されており、レーザダイオードはＬＤドライバ５によって駆動され、ＣＤエンコーダ１０から制御される。ＣＤ−ＲＯＭエンコーダ１１は、記録すべきデータを格納されているバッファメモリ１２から取得し、記録のためにエンコード処理を行い、その結果をＣＤエンコーダ１０に入力するものである。
【０００７】
再生系では、光ディスク１とピックアップユニット４から得られる光信号はリードアンプ９で信号処理され、ＣＤサーボプロセッサ１５へのフィードバック信号として使われると共に、ＡＴＩＰディテクタ１３の入力信号となり、その出力信号はＣＤエンコーダ１０へフィードバックされる。ＣＤ−ＲＯＭデコーダ１４はＣＤ信号を復調するためのものであり、ＣＤサーボプロセッサ１５の出力信号を使ってデータ復調を行い、その結果をバッファメモリ１２へ格納する。バッファメモリ１２は記録データ、および復調したデータを一時記憶するためのメモリである。これらのデータはインタフェース部２１を経由し、インタフェースバス２２を使った通信でホストコンピュータとやりとりされるものである。
【０００８】
ＣＰＵ１７は論理判断や演算を行う。１８はリードオンリメモリ（ＲＯＭ）で、制御プログラム、ならびに光ディスク記録装置のための記録制御プログラムを記憶したプログラム記憶エリアを有している。１９はメインメモリであり、記録制御、再生制御に必要な記憶領域として使用される。
【０００９】
システムバス１６は、光ディスク装置内でのデータ転送用バスである。電源部分は、電源ユニット２３から、各制御チップに対して電圧を安定供給する。また、電源ユニット２３は、ＡＣアダプタ２５やＰＣ電源２４から、電源供給を受ける。ＰＣ電源２４は、パソ
コンにＵＳＢ接続されたインタフェース部２１から電源端子ＶＢＵＳの電圧に連動しドライブの電源ユニット２３に電圧を供給する仕組みを有し、ＵＳＢ電源のＯＮ／ＯＦＦに連動し自動的にドライブを起動及び終了させる。
【００１０】
この分野の先行例としては、（特許文献１）（特許文献２）等がある。
【特許文献１】特開２００１−１４４７７２号公報
【特許文献２】特開２００１−１７７５４３号公報
【発明の開示】
【発明が解決しようとする課題】
【００１１】
上述したような、接続機器を接続された電子機器は、当然ながら常に接続機器へ電力供給が可能でなければならない。しかしながら接続機器の消費電力は一定とは限らない。例えば光ディスク装置の場合、スピンドルモータ３の回転加速時、減速時において消費電力は変動し、データ読み取り時や書き込み時等の動作の違いによっても変動する。しかし電子機器の電力供給能力が接続機器の消費電力の変動を許容するかを予測するのは困難であり、動作途中に接続機器が一時的に電力不足となり、動作異常が生じる場合があった。
【００１２】
本発明は、上記の課題を解決するためになされたもので、接続された電子機器からの電力供給状況に応じて適切な動作を行うことが可能な接続機器及びその一例としての光ディスク装置を提供することを目的とする。
【課題を解決するための手段】
【００１３】
本発明は、上記の課題を解決するためになされたもので、電力伝達機能と信号伝達機能を兼ね備えた接続手段によって電子機器からの電力の取得と信号の入出力を行い、前記電子機器から電力の供給を受けて動作する接続機器において、前記電子機器から供給される電力レベルによって動作可能であるかを判定し、供給される電力レベルに応じて動作状態を切り替える手段を有することを特徴とする接続機器である。
【００１４】
供給される電力レベルに応じて動作状態を切り替える手段を有することにより、接続された電子機器からの電力供給状況に応じて適切な動作を行うことが可能となり、電力供給側の電子機器の供給できる範囲内で最高のパフォーマンスを選択し設定することができ、動作途中に周辺機器が一時的に電力不足となって動作異常が生じることのない接続機器を実現することができる。
【発明の効果】
【００１５】
本発明によると、電力を供給する電子機器の電力供給能力判断処理を接続機器内部において行って消費電力の異なる動作を実行させることができるため、電力供給側の電子機器の供給できる範囲内で最高のパフォーマンスを選択し設定することができ、動作途中に周辺機器が一時的に電力不足となって動作異常が生じることのない接続機器及びその一例としての光ディスク装置を実現することができる。
【発明を実施するための最良の形態】
【００１６】
本発明の請求項１の発明は、電力伝達機能と信号伝達機能を兼ね備えた接続手段によって電子機器からの電力の取得と信号の入出力を行い、前記電子機器から電力の供給を受けて動作する接続機器において、前記電子機器から供給される電力レベルによって動作可能であるかを判定し、供給される電力レベルに応じて動作状態を切り替える手段を有することを特徴とする接続機器である。
【００１７】
供給される電力レベルに応じて動作状態を切り替える手段を有することにより、接続された電子機器からの電力供給状況に応じて適切な動作を行うことが可能となる。
【００１８】
本発明の請求項２の発明は、電力伝達機能と信号伝達機能を兼ね備えた接続手段によって電子機器からの電力の取得と信号の入出力を行い、前記電子機器から電力の供給を受けて動作する光ディスク装置において、前記電子機器から供給される電力レベルによって動作可能であるかを判定し、供給される電力レベルに応じて動作モードを切り替える手段を有することを特徴とする光ディスク装置である。
【００１９】
供給される電力レベルに応じて動作モードを切り替える手段を有することにより、接続された電子機器からの電力供給状況に応じて適切な動作を行うことが可能となる。
【００２０】
なお、ここでの動作モードとは、スピンドルモータ回転速度、フィードモータ移動速度を、消費電力レベルに応じて定めた複数のモードのことをいう。
【００２１】
本発明の請求項３の発明は、請求項２の発明において、前記電子機器から供給される電力レベルが動作可能な電力レベルに達していないときには、一旦電源を切り、予め定められた消費電力の少ない動作モードに順次切り替えて動作可能であることを確認した後、再び電源を投入して動作する手段を有することを特徴とする。
【００２２】
これにより、電力供給側の電子機器の供給できる範囲内で最高のパフォーマンスを選択し設定することができ、動作途中に周辺機器が一時的に電力不足となって動作異常が生じることのない光ディスク装置を実現することができる。
【００２３】
本発明の請求項４の発明は、請求項２または請求項３の発明において、前記電子機器の電力供給能力判断処理が以前に行われており、ユーザが電力供給能力判断処理を要求しない場合には、新たな電力供給能力判断処理を行わず、すでに設定されている動作モードで動作することを特徴とする。
【００２４】
電子機器の電力供給能力判断処理が以前に行われており、ユーザが電力供給能力判断処理を要求しない場合には、すでに設定されている動作モードで動作することが妥当であり、このような場合にも新たに電力供給能力判断処理を行うとかえって操作が煩雑となることから、この処理を省略することで操作性を高めることができる。
【００２５】
本発明の請求項５の発明は、請求項２から請求項４のいずれかの発明において、前記電子機器の電力供給能力判断処理と、その結果定められる動作モードが不揮発メモリ内に記憶されていることを特徴とする。
【００２６】
これらの処理結果を不揮発メモリ内に記憶しておくことにより、不揮発メモリ内の当該記憶領域を読み取ることで、光ディスク装置の適正な動作を確保することができる。
【００２７】
（実施の形態１）
以下、発明を実施するための最良の形態について図を用いて説明する。以下の説明においては、電子機器から電力の供給を受けて動作する接続機器が光ディスク装置である場合について説明する。
【００２８】
図１は本発明の一実施の形態における光ディスク装置の外観図、図２は本発明の一実施の形態における光ディスク装置の構成を示すブロック図、図３は本発明の一実施の形態における光ディスク装置が内部に持っているパソコンの電力供給能力判断処理を示す流れ図である。
【００２９】
図１において、光ディスク装置１０１は、コンピュータ等の電子機器に内蔵しない所謂
外付けタイプのもので、上蓋１０２を開けて光ディスク１が装着される。１０３はＵＳＢ接続用コネクタであり、ＵＳＢケーブル１０４にて例えばコンピュータ１０５に接続することにより、コンピュータ１０５は光ディスク１からデータを読み取り、あるいは光ディスクにデータを書き込むことができる。１０６はＡＣアダプタであり、商用電源（１００Ｖ等）のコンセント１０７からの電圧を降圧及び整流し、ＤＣジャック１０８から光ディスク装置１０１に電力を供給する。
【００３０】
光ディスク装置１０１の電力取得はＡＣアダプタ１０６に依る場合の他、ＵＳＢケーブル１０４の電源バスに依る場合がある。ＵＳＢケーブル１０４の電源バスで光ディスク装置１０１が必要とする電力を常に供給できるかは、主にコンピュータ１０５の電力供給能力に依存する。光ディスクにはＣＤ−ＲＯＭ、ＣＤ−Ｒ／ＲＷ、ＤＶＤ−ＲＯＭ、ＤＶＤ−ＲＡＭ、ＤＶＤ−Ｒ／ＲＷ、ＤＶＤ＋Ｒ／ＲＷが含まれ、光ディスク装置１０１はこれら光ディスクの１種類もしくは数種類に対応可能なものが含まれる。
【００３１】
なお、光ディスク装置の内部で使用するのに適した電流電圧にする電源回路を備えているものであれば、ＡＣアダプタ１０６を使用せず、商用電源を直接適切な電線とコネクタで引き込む構成であっても良い。また、商用電源は使用せず光ディスク装置に内蔵もしくは外付けされた電池を駆動用電源とするものであってもよい。
【００３２】
図２は本発明の一実施例における光ディスク記録装置の構成を示すブロック図である。
【００３３】
光ディスク１はスピンドルモータ３によって回転し、光ピックアップユニット４を搭載したキャリッジがフィードモータ２によって光ディスク１の半径方向に移動して、光ディスク１に対してデータの書き込みや読み取りがなされる。スピンドルモータ３はスピンドルモータドライバ７によって駆動され、フィードモータ２はフィードモータドライバ６によって駆動される。また、光ピックアップユニット４はアクチュエータドライバ８によって駆動される。
【００３４】
フィードモータドライバ６、スピンドルモータドライバ７、アクチュエータドライバ８は、ＣＤサーボプロセッサ１５によってサーボ制御される。光ピックアップユニット４にはレーザダイオードが内蔵されており、レーザダイオードはＬＤドライバ５によって駆動され、ＣＤエンコーダ１０から制御される。ＣＤ−ＲＯＭエンコーダ１１は、記録すべきデータを格納されているバッファメモリ１２から取得し、記録のためにエンコード処理を行い、その結果をＣＤエンコーダ１０に入力するものである。
【００３５】
再生系では、光ディスク１と光ピックアップユニット４から得られる光信号はリードアンプ９で信号処理され、ＣＤサーボプロセッサ１５へのフィードバック信号として使われると共に、ＡＴＩＰディテクタ１３の入力信号となり、その出力信号はＣＤエンコーダ１０へフィードバックされる。ＣＤ−ＲＯＭデコーダ１４はＣＤ信号を復調するためのものであり、ＣＤサーボプロセッサ１５の出力信号を使ってデータ復調を行い、その結果をバッファメモリ１２へ格納する。バッファメモリ１２は記録データ、および復調したデータを一時記憶するためのメモリである。これらのデータはインタフェース部２１を経由し、インタフェースバス２２を使った通信でホストコンピュータとやりとりされるものである。
【００３６】
ＣＰＵ１７は論理判断や演算を行う。１８はリードオンリメモリ（ＲＯＭ）で、制御プログラム、ならびに光ディスク記録装置のための記録制御プログラムを記憶したプログラム記憶エリアを有している。１９はメインメモリであり、記録制御、再生制御に必要な記憶領域として使用される。
【００３７】
システムバス１６は、光ディスク装置内でのデータ転送用バスである。電源部分は、電源ユニット２３から、各制御チップに対して電圧を安定供給する。また、電源ユニット２３は、ＡＣアダプタ２５やＰＣ電源２４から、電源供給を受ける。ＰＣ電源２４は、パソコンにＵＳＢ接続されたインタフェース部２１から電源端子ＶＢＵＳの電圧に連動しドライブの電源ユニット２３に電圧を供給する仕組みを有し、ＵＳＢ電源のＯＮ／ＯＦＦに連動し自動的にドライブを起動及び終了させる。
【００３８】
次に、本発明の実施の形態における光ディスク装置において、ユーザが接続したパソコンから電力供給が可能かどうか診断する処理手順について、図２、図３を用いて説明する。
【００３９】
まず、光ディスク装置に、専用ＣＤを光ディスク装置に取り付けパソコンに接続し（Ｓ１）、光ディスク装置の電源をＯＮする（Ｓ２）。光ディスク装置は不揮発性メモリ２０の特定場所を読み、パソコンの電力供給能力判断処理が以前に行われたかについて判断する（Ｓ３）。パソコンの電力供給能力判断処理が以前に行われて、正常に完了している場合には、ユーザから再確認の指示があったときにパソコンの電力供給能力判断処理を再度実施する（Ｓ６）。ここで言う『ユーザから再確認の指示』とは、例えば、製品についているＤＩＰＳＷ２６を指定のＤＩＰＳＷにしている場合や、特定ボタンを押下しながらの電源ＯＮなどの方法を指す。『ユーザから再確認の指示』がない場合、パソコンの電力供給能力判断処理は行わず、現在指定された動作モードで動作する(Ｓ１５)。
【００４０】
パソコンの電力供給能力判断処理が以前に行われたか否かについての判断（Ｓ３）において、パソコンの電力供給能力判断処理が以前に行われていない場合、もしくは完了していない場合には、不揮発性メモリ２０の特定場所を読み現在テスト中であるか確認する(Ｓ４)。現在テスト中である場合、テスト中にパソコン電源が一時的にＯＦＦされた後再度電源ＯＮされて、リスタートした場合であるので、現在の動作モードより消費電力が低い動作モードが存在するかを確認する（Ｓ５）。その結果、現在の動作モードより消費電力が低い動作モードが存在しない場合には、ユーザ環境ではパソコン電源を利用して動作する事が出来ない事をユーザに表現する（Ｓ１４）。その表現方法は、例えば、ＬＥＤ点灯や、ＬＣＤ表示等を使用して行う。現在の動作モードより消費電力が低い動作モードが存在する場合には、動作モードを１ランク低い動作モードに設定する（Ｓ９）。
【００４１】
パソコンの電力供給能力判断処理が以前に行われたか否かについての判断（Ｓ３）において、現在テスト中でない場合や、以前テストされた場合でも、『ユーザから再確認の指示』があった場合には、新たにテストを実施して、不揮発性メモリ２０にテスト中であることを示す情報を書き込む（Ｓ７）。また、新規テストの場合、動作モードは消費電流のもっとも高い動作モードに設定する(Ｓ８)。
【００４２】
実際の動作テストは、ＣＰＵ１７がＲＯＭ１８のプログラムを読み込みＣＤサーボプロセッサ１５から、スピンドルモータドライバ７とフィードモータドライバ６を制御することで、フィードモータ２とスピンドルモータ３を動作させる。実際の動作としては、スピンドルモータ３加速中にフィードモータ２を動作させて、テストが最後まで動作することを確認する（Ｓ１０）。パソコン電源の電力供給が十分でない場合、テスト中にパソコン電源が一時的に切られることで、光ディスク装置の電源がＯＦＦする（Ｓ１１）。次にパソコンは再度電源を供給し、光ディスク装置と再接続を行うため電源が光ディスク装置に供給され、光ディスク装置の電源がＯＮされる（Ｓ２）。
【００４３】
テストが最後まで正しく動作した場合には、そのときの動作モードで実際の動作が可能と判断し、現在の動作モードを不揮発性メモリの特定場所に書き込み（Ｓ１２）、テストが完了したことを不揮発性メモリ２０の特定場所に書き込む（Ｓ１３）。これらの処理を
行った後、通常動作へ推移する（Ｓ１５）。
【００４４】
以上の操作手順における動作モードの例を以下に例示する。
【００４５】
動作モード１：スピンドルモータ回転最高２４倍速、フィードモータ移動速度最高速。
【００４６】
動作モード２：スピンドルモータ回転最高２０倍速、フィードモータ移動速度低速。
【００４７】
動作モード３：スピンドルモータ回転最高１２倍速、フィードモータ移動速度低速。
【００４８】
動作モード４：スピンドルモータ回転最高１２倍速、フィードモータ移動速度低速、
スピンドルモータ回転時制御ゲイン下げる。
【００４９】
動作モード５：スピンドルモータ回転最高６倍速、フィードモータ移動速度低速、
スピンドルモータ回転時制御ゲイン下げる。
【００５０】
以上に述べた実施の形態では、他の電子機器から電力供給を受ける接続機器として光ディスク装置を取り上げたが、接続機器としては、他の電子機器と信号の送受をするとともに電力供給を受ける電子機器であればよく、光ディスク装置に限定されるものではない。また本実施の形態では、パソコン等他の電子機器との接続手段としてＵＳＢインタフェースを採用しているが、接続手段が電力伝達機能と信号伝達機能を兼ね備えたものであれば良く、ＩＥＥＥ１３９４インタフェース等であっても良い。また本実施の形態では、光ディスク装置等周辺機器と信号の送受を行うと共に電力供給を行うものとしてパソコンを取り上げているが、光ディスク装置等の接続機器に電力供給が可能であり、この光ディスク装置等の接続機器の消費電力を診断する為のテスト動作を光ディスク装置等の接続機器に行わせる為の指示を出す手段をもっている電子機器であればよく、パソコンに限定されるものでない。
【産業上の利用可能性】
【００５１】
本発明は、電力供給手段を持つ電子機器にＵＳＢ等の電力伝達機能と信号伝達機能を兼ね備えた接続手段で接続して使用される接続機器及び光ディスク装置として利用することができ、接続された電子機器からの電力供給状況に応じて適切な動作を行うことが可能である。
【図面の簡単な説明】
【００５２】
【図１】本発明の一実施の形態における光ディスク装置の外観図
【図２】本発明の一実施の形態における光ディスク装置の構成を示すブロック図
【図３】本発明の一実施の形態における光ディスク装置が内部に持っているパソコンの電力供給能力判断処理を示す流れ図
【符号の説明】
【００５３】
１    光ディスク
２    フィードモータ
３    スピンドルモータ
４    光ピックアップユニット
５    ＬＤドライバ
６    フィードモータドライバ
７    スピンドルモータドライバ
８    アクチュエータドライバ
９    リードアンプ
１０    ＣＤエンコーダ
１１    ＣＤ−ＲＯＭエンコーダ
１２    バッファメモリ
１３    ＡＴＩＰディテクタ
１４    ＣＤ−ＲＯＭデコーダ
１５    ＣＤサーボプロセッサ
１６    システムバス
１７    ＣＰＵ
１８    リードオンリメモリ（ＲＯＭ）
１９    メインメモリ
２０    不揮発性メモリ
２１    インタフェース部
２２    インタフェースバス
２３    電源ユニット
２４    ＰＣ電源
２５    ＡＣアダプタ
２６    ＤＩＰＳＷ
１０１    光ディスク装置
１０２    上蓋
１０３    ＵＳＢ接続用コネクタ
１０４    ＵＳＢケーブル
１０５    コンピュータ
１０６    ＡＣアダプタ
１０７    コンセント
１０８    ＤＣジャック
【図１】
2005259282.tif 000003
【図２】
2005259282.tif 000004
【図３】
2005259282.tif 000005